(57)【特許請求の範囲】
【請求項１】
通信ネットワークを介して商品販売に関する情報をユーザの端末に提供するサーバであって、
ユーザを識別するユーザＩＤを前記端末から受け付ける手段と、
前記ユーザにより選択された商品と、複数のリストの中から前記ユーザにより選択された、該商品を追加したリストとを前記端末から受け付ける手段と、
前記ユーザＩＤと、受け付けた前記商品と、前記受け付けた商品のうち、前記複数のリストのいずれのリストにも追加されなかった商品に対しては値を０とし、受け付けた前記リストに追加された商品に対しては該商品が追加されたリストが示す該商品に対するユーザの購入可能性のレベルに応じて前記購入可能性が高くなるほど値が０より大きくなるウエイトとを関連付けて記憶する手段と、
前記商品に関連付けられた前記ウエイトに基づいて、ユーザ間において、前記商品毎に前記商品に対応する前記ウエイトの積を算出し、前記算出した積の和を当該ユーザ間の前記商品の購入可能性に関する商品選択類似度として決定する手段と、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させる手段と、
を備えたサーバ。
【請求項２】
ユーザにより入力された、他のユーザに対する自らの前記レベルに応じた商品リストの開示制限データを受け付ける手段を備え、
前記記憶する手段は、前記開示制限データを前記ユーザＩＤに関連付けて記憶し、
前記表示させる手段は、前記開示制限データに基づいて前記レベルに応じた商品リストの表示を制限する請求項１に記載のサーバ。
【請求項３】
前記ユーザにより入力された、選択した前記商品に関する評価データを受け付ける手段を備え、
前記記憶する手段は、前記評価データを前記商品に関連付けて記憶し、
前記ユーザＩＤが入力された前記端末に対して前記評価データを送信する手段を備える請求項１または請求項２に記載のサーバ。
【請求項４】
前記受け付けたユーザＩＤとの前記商品選択類似度が所定の値以上の他のユーザＩＤに関連付けて記憶されている前記商品に基づいて、前記レベル毎に商品選択ランキングを集計し、前記端末に該レベル毎の該商品選択ランキングを表示させる手段を備えた請求項１から請求項３のいずれかに記載のサーバ。
【請求項５】
前記ユーザＩＤが入力された前記端末に対して、ユーザにより指定された指定ユーザＩＤとの商品選択類似度が所定の値以上の他のユーザＩＤに関連付けて記憶されている前記レベルに応じた商品リストを前記端末に表示させる手段を備えた請求項１から請求項４のいずれかに記載のサーバ。
【請求項６】
通信ネットワークを介して商品販売に関する情報をサーバがユーザの端末に提供する方法であって、
ユーザを識別するユーザＩＤを前記端末から受け付けるステップと、
前記ユーザにより選択された商品と、複数のリストの中から前記ユーザにより選択された、該商品を追加したリストとを前記端末から受け付けるステップと、
前記ユーザＩＤと、受け付けた前記商品と、前記受け付けた商品のうち、前記複数のリストのいずれのリストにも追加されなかった商品に対しては値を０とし、受け付けた前記リストに追加された商品に対しては該商品が追加されたリストが示す該商品に対するユーザの購入可能性のレベルに応じて前記購入可能性が高くなるほど値が０より大きくなるウエイトとを関連付けて記憶するステップと、
前記商品に関連付けられた前記ウエイトに基づいて、ユーザ間において、前記商品毎に前記商品に対応する前記ウエイトの積を算出し、前記算出した積の和を当該ユーザ間の前記商品の購入可能性に関する商品選択類似度として決定するステップと、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させるステップと、
を含む方法。
【請求項７】
通信ネットワークを介して商品販売に関する情報のユーザの端末に対する提供をサーバに実行させるプログラムであって、
ユーザを識別するユーザＩＤを前記端末から受け付けるステップと、
前記ユーザにより選択された商品と、複数のリストの中から前記ユーザにより選択された、該商品を追加したリストとを前記端末から受け付けるステップと、
前記ユーザＩＤと、受け付けた前記商品と、前記受け付けた商品のうち、前記複数のリストのいずれのリストにも追加されなかった商品に対しては値を０とし、受け付けた前記リストに追加された商品に対しては該商品が追加されたリストが示す該商品に対するユーザの購入可能性のレベルに応じて前記購入可能性が高くなるほど値が０より大きくなるウエイトとを関連付けて記憶するステップと、
前記商品に関連付けられた前記ウエイトに基づいて、ユーザ間において、前記商品毎に前記商品に対応する前記ウエイトの積を算出し、前記算出した積の和を当該ユーザ間の前記商品の購入可能性に関する商品選択類似度として決定するステップと、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させるステップと、
を前記サーバに実行させるプログラム。
【発明の詳細な説明】
【技術分野】
【０００１】
本発明は、通信ネットワークを介して商品販売に関する情報を提供するサーバ、方法、及びプログラムに関する。特に、通信ネットワークを介して商品選択類似度に基づく商品販売に関する情報を提供するサーバ、方法、及びプログラムに関する。
【背景技術】
【０００２】
従来、携帯電話やＰＣ等の通信ネットワークを介して接続された端末に対して、商品販売に関する情報を提供する方法として、様々な技術が提案されてきた。
【０００３】
例えば、特許文献１においては、顧客がある個別の商品のページを閲覧すると、その顧客が以前に行った注文に関連する情報が表示される。このことにより、注文商品が発送されたかどうかを知るために顧客サービスに連絡を取る必要がなくなる。
【０００４】
或いは、別の実施例においては、より積極的に、当該商品の注文を行った他の顧客が注文した関連商品の情報を表示して、関連商品の購入を促すことも行われている。
【先行技術文献】
【特許文献】
【０００５】
【特許文献１】特表２００４−５３５０１５号公報
【発明の概要】
【発明が解決しようとする課題】
【０００６】
しかしながら、このような情報提供は全て、ユーザがサイトにアクセス後、さらにある個別の商品のページの選択閲覧操作を行って初めて表示され得る。従って、顧客がこのようなページの閲覧を行う前に当該関連商品の情報を表示することはない。
【０００７】
その結果、キーボードやマウス等の機能の豊富な入力装置が使用可能なＰＣに比較して入力装置の機能にハンディのある携帯電話向け商品販売サイトにおいては特に、上述のような多くの入力操作を強いることによって、関連商品に関する情報の提供の機会を減少させることがある。
【０００８】
そこで本発明は、個別の商品のページを閲覧する前に、より積極的にそのユーザに適合する商品販売に関する情報を提供することを目的とする。
【課題を解決するための手段】
【０００９】
本発明者らは、従来のように「商品」に注目するのではなく、商品を選んだ「人」に注目し、商品販売サイトにアクセスしてきたユーザと商品選択類似度が高いユーザの情報に基づいて的確に商品販売情報を提供することができる方法を見出し、本発明を完成するに至った。より具体的には以下のようなものを提供する。
【００１０】
（１）  通信ネットワークを介して商品販売に関する情報をユーザの端末に提供するサーバであって、
ユーザを識別するユーザＩＤを前記端末から受け付ける手段と、
前記ユーザにより選択された商品と、選択された前記商品に対してユーザにより指定された前記商品に対するユーザの購入可能性を示すレベルとを前記端末から受け付ける手段と、
前記ユーザＩＤと、受け付けた前記商品と、前記レベルに応じて決定したウエイトとを関連付けて記憶する手段と、
前記商品に関連付けられた前記ウエイトに基づいて、ユーザ間の前記商品の購入可能性に関する商品選択類似度を決定する手段と、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させる手段と、
を備えたサーバ。
【００１１】
（１）の発明によると、サーバは、ユーザに対して、当該ユーザとの商品の購入可能性に関する商品選択類似度が所定の値以上である他のユーザの選択した商品を、当該購入可能性のレベルに応じた商品リストとして表示させることができる。このことにより、当該ユーザは、個別の商品のページを閲覧する前に、当該他のユーザの選択した購入可能性のレベルに応じた商品リストを参考にしながら、商品購入の意思決定を行うことができる。
【００１２】
（２）  ユーザにより入力された、他のユーザに対する自らの前記レベルに応じた商品リストの開示制限データを受け付ける手段を備え、
前記記憶する手段は、前記開示制限データを前記ユーザＩＤに関連付けて記憶し、
前記表示させる手段は、前記開示制限データに基づいて前記レベルに応じた商品リストの表示を制限する（１）に記載のサーバ。
【００１３】
（２）の発明によると、サーバは、開示制限データの制限に応じて当該商品リストの開示を行うことができる。このことにより、ユーザが他のユーザに開示を許可しない商品リストについて適切な対応が可能になる。
【００１４】
（３）  前記ユーザにより入力された、選択した前記商品に関する評価データを受け付ける手段を備え、
前記記憶する手段は、前記評価データを前記商品に関連付けて記憶し、
前記ユーザＩＤが入力された前記端末に対して前記評価データを送信する手段を備える（１）または（２）に記載のサーバ。
【００１５】
（３）の発明によると、サーバは、ユーザによる当該商品に関する評価データを合わせて記憶することができる。このことにより、ユーザは、自らとの間の商品選択類似度が所定の値以上である他のユーザによる当該評価データを閲覧することができる。
【００１６】
（４）  前記ユーザＩＤが入力された前記端末に対して、当該ユーザＩＤとの商品選択類似度が所定の値以上の他のユーザＩＤに関連付けて記憶されている前記レベルに応じた商品リストに基づいて商品選択ランキングを決定し、前記端末に対して送信する手段を備えた（１）から（３）のいずれかに記載のサーバ。
【００１７】
（４）の発明によると、サーバは、当該ユーザとの購入可能性に関する商品選択類似度が所定の値以上である他のユーザが選択した商品について、購入可能性のレベルに応じた商品リストに基づいたランキング情報を当該ユーザに提供することができる。このことにより、ユーザは、当該商品選択類似度が所定の値以上である他のユーザ一人ひとりの当該商品リストを閲覧することなく、一回で当該他のユーザの商品選択傾向を知ることができる。
【００１８】
（５）  前記ユーザＩＤが入力された前記端末に対して、ユーザにより指定された指定ユーザＩＤとの商品選択類似度が所定の値以上の他のユーザＩＤに関連付けて記憶されている前記レベルに応じた商品リストを前記端末に表示させる手段を備えた（１）から（４）のいずれかに記載のサーバ。
【００１９】
（５）の発明によると、サーバは、ユーザが指定した他のユーザと商品選択類似度が所定の値以上であるさらにその他のユーザの選択した商品について、購入可能性のレベルに応じた商品リストを当該ユーザに提供することができる。このことにより、ユーザは、例えばプレゼントを贈りたい他のユーザとの商品選択類似度が所定の値以上であるさらにその他のユーザの選択した商品について、購入可能性のレベルに応じた商品リストを閲覧することができる。
【００２０】
（６）  前記ユーザＩＤが入力された前記端末に対して、ユーザにより指定された指定ユーザＩＤとの商品選択類似度が所定の値以上の他のユーザＩＤに関連付けて記憶されている前記レベルに応じた商品リストに基づいて商品選択ランキングを決定し、前記端末に対して送信する手段を備えた（１）から（５）のいずれかに記載のサーバ。
【００２１】
（６）の発明によると、サーバは、ユーザが指定した他のユーザとの商品選択類似度が所定の値以上であるさらにその他のユーザの選択した商品について、購入可能性のレベルに応じた商品リストに基づいたランキング情報を当該ユーザに提供することができる。このことにより、ユーザは、例えばプレゼントを贈りたい他のユーザとの商品選択類似度が所定の値以上であるさらのその他のユーザ一人ひとりの当該商品リストを閲覧することなく、一回で当該さらにその他のユーザの商品選択傾向を知ることができる。
【００２２】
（７）  通信ネットワークを介して商品販売に関する情報をサーバがユーザの端末に提供する方法であって、
ユーザを識別するユーザＩＤを前記端末から受け付けるステップと、
前記ユーザにより選択された商品と、選択された前記商品に対してユーザにより指定された前記商品に対するユーザの購入可能性を示すレベルとを前記端末から受け付けるステップと、
前記ユーザＩＤと、受け付けた前記商品と、前記レベルに応じて決定したウエイトとを関連付けて記憶するステップと、
前記商品に関連付けられた前記ウエイトに基づいて、ユーザ間の前記商品の購入可能性に関する商品選択類似度を決定するステップと、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させるステップと、
を含む方法。
【００２３】
（７）の発明によると、（１）と同様の効果を奏する方法を実施することができる。
【００２４】
（８）  通信ネットワークを介して商品販売に関する情報のユーザの端末に対する提供をサーバに実行させるプログラムであって、
ユーザを識別するユーザＩＤを前記端末から受け付けるステップと、
前記ユーザにより選択された商品と、選択された前記商品に対してユーザにより指定された前記商品に対するユーザの購入可能性を示すレベルとを前記端末から受け付けるステップと、
前記ユーザＩＤと、受け付けた前記商品と、前記レベルに応じて決定したウエイトとを関連付けて記憶するステップと、
前記商品に関連付けられた前記ウエイトに基づいて、ユーザ間の前記商品の購入可能性に関する商品選択類似度を決定するステップと、
前記ユーザＩＤが入力された前記端末に、当該ユーザＩＤとの前記商品選択類似度が所定の値以上の他のユーザＩＤに関連付けて記憶されている前記商品を前記レベルに応じた商品リストとして表示させるステップと、を前記サーバに実行させるプログラム。
【００２５】
（８）の発明によると、（１）と同様の効果を奏する方法をサーバに実施させるためのプログラムを提供することができる。
【発明の効果】
【００２６】
本発明によれば、商品販売サイトにアクセスしてきたユーザと商品の購入可能性に関する商品選択類似度が所定の値以上のユーザの情報に基づいて的確に商品販売情報を提供することができる。
【図面の簡単な説明】
【００２７】
【図１】本発明の好適な実施形態の一例に係るコンピュータ演算処理方法を実施するコンピュータシステム１の全体構成を表すブロック図である。
【図２】本発明の好適な実施形態の一例に係る情報提供方法を実現するサーバ１０の構成を示すブロック図である。
【図３】本発明に係る端末２０ａの構成を示すブロック図である。
【図４】本発明に係る端末２０ｂの構成を示すブロック図である。
【図５】本発明の好適な実施形態の一例に係るコンピュータシステムによるユーザＩＤ入力処理を示すフローチャートである。
【図６】上述のユーザＩＤ入力処理に係るコンピュータシステム１において端末２０ａ、２０ｂに表示されるユーザＩＤ入力画面を示すブロック図である。
【図７】本発明の好適な実施形態の一例に係るコンピュータシステム１において端末２０ａ、２０ｂに表示されるＭｙリスト画面を示すブロック図である。
【図８】本発明の好適な実施形態の一例に係るコンピュータシステムによるユーザＩＤ登録処理を示すフローチャートである。
【図９】上述のユーザＩＤ登録処理に係るユーザＩＤ登録画面を示すブロック図である。
【図１０】本発明の好適な実施形態の一例に係るコンピュータシステムによる商品選択入力処理を示すフローチャートである。
【図１１】上述の商品選択入力処理に係る商品選択入力画面を示すブロック図である。
【図１２】上述の商品選択入力処理に係るＭｙリストへの追加登録画面を示すブロック図である。
【図１３】上述の商品選択入力処理に係るＭｙリストへの商品分類キーワード入力処理画面を示すブロック図である。
【図１４】上述の商品選択入力処理に係る商品評価入力画面を示すブロック図である。
【図１５】本発明の好適な実施形態の一例に係るコンピュータシステムによるユーザ別商品選択テーブルを示す図である。
【図１６】本発明の好適な実施形態の一例に係るコンピュータシステムによる商品選択類似度テーブル生成処理を示すフローチャートである。
【図１７】本発明の好適な実施形態の一例に係るコンピュータシステムによる商品選択類似度テーブルを示す図である。
【図１８】本発明の好適な実施形態の一例に係るコンピュータシステムによる商品選択テーブル表示処理を示すフローチャートである。
【図１９】上述の商品選択テーブル表示処理に係る「にてるリスト」の表示画面を示すブロック図である。
【図２０】本発明の好適な実施形態の一例に係るコンピュータシステムによる商品選択ランキング表示処理を示すフローチャートである。
【図２１】上述の商品選択ランキング表示処理に係る商品選択ランキングの表示画面を示すブロック図である。
【図２２】本発明の好適な実施形態の一例に係るコンピュータシステムによる指定ユーザの商品選択テーブル表示処理を示すフローチャートである。
【図２３】上述の指定ユーザの商品選択テーブル表示処理に係る指定ユーザの「にてるリスト」の表示画面を示す図である。
【図２４】本発明の好適な実施形態の一例に係るコンピュータシステムによる指定ユーザの商品選択ランキング表示処理を示すフローチャートである。
【発明を実施するための形態】
【００２８】
本発明に係る好適な実施形態の一例について、図面に基づいて以下に説明する。
【００２９】
［システムの全体構成］
図１は、本発明の好適な実施形態の一例に係るコンピュータ演算処理方法を実施するコンピュータシステム１の全体構成を表すブロック図である。サーバ１０と端末２０ａ、２０ｂ等の一または複数の端末で構成する端末群２０は通信ネットワーク３０、或いは、さらに基地局１５を介して接続されている。
【００３０】
［サーバの構成］
図２は、本発明の好適な実施形態の一例に係る情報提供方法を実現するサーバ１０の構成を示すブロック図である。サーバ制御部１１０、サーバ表示部１２０、サーバ入力部１３０、サーバ通信制御部１４０、サーバ記憶部１５０は、サーババス１６０を介して接続されている。
【００３１】
サーバ制御部１１０は、情報の演算、処理を行う情報演算処理装置であり、ＣＰＵ（Ｃｅｎｔｒａｌ  Ｐｒｏｃｅｓｓｉｎｇ  Ｕｎｉｔ）であってよい。また、サーバ制御部１１０はサーバ１０全体の制御を行い、サーバ記憶部１５０に記憶された各種プログラムを適宜読み出して実行することにより、上述のハードウエアが協働し、本発明に係る各種機能を実現している。
【００３２】
ここで、サーバ表示部１２０は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【００３３】
ここで、サーバ入力部１３０は、ユーザによる入力の受け付けを行うものであり、キーボード、ポインティングデバイス等を含んでよい。サーバ入力部１３０は、直接または介在Ｉ／Ｏコントローラを介してサーバ制御部１１０と接続することができる。
【００３４】
ここで、サーバ通信制御部１４０は、サーバ１０を専用ネットワークまたは公共ネットワークを介して端末と接続できるようにするためのネットワーク・アダプタである。サーバ通信制御部１４０は、モデム、ケーブル・モデムおよびイーサネット（登録商標）・アダプタ及び無線アダプタを含んでよい。
【００３５】
ここで、サーバ記憶部１５０は、サーバ制御部１１０と組み合わせてプログラムの実行に使用するローカルメモリ、大容量のバルクメモリ、および当該バルクメモリの検索を効率的に行うために使用するキャッシュメモリを含んでよい。サーバ記憶部１５０を実現するコンピュータ可読媒体としては、電気的、磁気的、光学的、電磁的に実現するものを含んでよい。より具体的には、半導体記憶装置、磁気テープ、フレキシブルディスク、ランダム・アクセス・メモリ（ＲＡＭ）、リードオンリー・メモリ（ＲＯＭ）、ＣＤ−ＲＯＭとＣＤ−Ｒ／ＷとＤＶＤとを含む光ディスクが含まれる。
【００３６】
［通信ネットワークの構成］
また、通信ネットワーク３０は、専用線、モデムやターミナルアダプタを介して接続するダイヤルアップネットワーク、ＡＤＳＬ、光ケーブルによるものを含む有線によるネットワークにより実現してもよい。また、無線ＬＡＮ、携帯電話等の携帯端末向け無線ネットワークを含む無線によるネットワークにより実現してもよい。さらに、サーバ１０と端末群２０の間の通信経路においてこれらのネットワークを組み合せることによって実現してもよい。
【００３７】
また、通信ネットワーク３０を実現するための通信プロトコルとしては、ＴＣＰ／ＩＰ等のインターネットプロトコルをはじめとして、本発明を実施するために必要な情報通信を実現する様々な通信プロトコルが採用されてよい。さらに、ＳＯＡＰ（Ｓｉｍｐｌｅ  Ｏｂｊｅｃｔ  Ａｃｃｅｓｓ  Ｐｒｏｔｏｃｏｌ）等のＷｅｂサービス用のプロトコルを用いて実現してもよい。
【００３８】
このようにコンピュータシステム１は、通信ネットワーク３０を介して接続されたサーバ１０及び端末群２０により、本発明に係るコンピュータ演算処理方法を実施することができる。
【００３９】
また、サーバ１０は、図１においては、一つだけ示されているが、本発明の技術的範囲はこれに限定されるものではなく、複数のサーバにより実現してもよい。さらに、Ｗｅｂサーバ、アプリケーションサーバ、データベースサーバ、のいわゆる３層構造をもつサーバシステムとして実現してもよく、システム負荷やデータ容量、或いは運用管理上の視点等に基づいて様々なサーバ構成によって実現してもよい。
【００４０】
［端末の構成］
図３は、本発明に係る端末２０ａの構成を示すブロック図である。端末表示部２２０、端末操作入力部２３０、送受信部２４０、端末記憶部２５０、通話制御部２６０、音声入出力部２７０は、端末制御部２１０を介して接続されている。
【００４１】
また、端末制御部２１０は上述のサーバ制御部１１０と同様の構成を持ち、端末全体の制御を行い、端末記憶部２５０に記憶された各種プログラムを適宜読み出して実行することにより、上述のハードウエアが協働し、本発明に係る各種機能を実現している。
【００４２】
ここで、端末表示部２２０は、例えば、液晶、有機ＥＬ等のディスプレイ装置として実現されてよい。また、端末操作入力部２３０は、例えば、携帯電話の多方向キー（コマントナビゲーションボタン等）、ダイヤルボタン等の操作ボタン等で実現されてよい。送受信部２４０は携帯電話のアンテナ等で実現してよい。端末記憶部２５０は、端末制御部２１０と組み合わせてプログラムの実行に使用するローカルメモリ、大容量のバルクメモリ、および当該バルクメモリの検索を効率的に行うために使用するキャッシュメモリを含んでよい。通話制御部２６０は、携帯電話のアンテナ駆動回路等で実現してよい。音声入出力部２７０は、携帯電話のマイクロフォン、スピーカ等で実現してよい。
【００４３】
図４は、本発明に係る端末２０ｂの構成を示すブロック図である。端末制御部３１０、端末表示部３２０、端末入力部３３０、端末通信制御部３４０、端末記憶部３５０は、端末バス３６０を介して接続されている。
【００４４】
また、端末制御部３１０は上述のサーバ制御部１１０と同様の構成を持ち、端末全体の制御を行い、端末記憶部３５０に記憶された各種プログラムを適宜読み出して実行することにより、上述のハードウエアが協働し、本発明に係る各種機能を実現している。
【００４５】
ここで、端末表示部３２０、端末入力部３３０、端末通信制御部３４０、端末記憶部３５０は、それぞれ上述のサーバ表示部１２０、サーバ入力部１３０、サーバ通信制御部１４０、サーバ記憶部１５０と同様の構成を持つ。
【００４６】
［ユーザＩＤ入力処理］
図５は、本発明の好適な実施形態の一例に係るコンピュータシステムによるユーザＩＤ入力処理を示すフローチャートである。
【００４７】
まず、サーバ制御部１１０は、通信ネットワーク３０を介して端末２０ａ、２０ｂからのユーザＩＤ、パスワードの入力を受け付ける（ステップＳ１０１）。
【００４８】
次に、サーバ制御部１１０は、受け付けたユーザＩＤ、パスワードが、登録済のユーザＩＤ、パスワードと一致しているか否かを判断する（ステップＳ１０２）。
【００４９】
サーバ制御部１１０は、ステップＳ１０１の判断の結果が一致していた場合には処理を完了し、一致していなかった場合には、ステップＳ１０１に処理を戻して、再度ユーザＩＤ、パスワードの入力を受け付ける。
【００５０】
［ユーザＩＤ入力画面］
図６は、上述のユーザＩＤ入力処理に係るコンピュータシステム１において端末２０ａ、２０ｂに表示されるユーザＩＤ入力画面を示すブロック図である。図に示す様に、端末２０ａ、２０ｂに表示された初期画面（ａ）において、「ログイン」のリンクをクリックすると、ユーザＩＤとパスワードが入力可能なログイン画面（ｂ）が表示される。ここで、ユーザＩＤとパスワードを入力すると、入力を行ったユーザＩＤ、パスワードが、登録済のユーザＩＤ、パスワードと一致した場合、会員専用の「メニュー画面」（ｃ）が表示される。この画面においては、後述する「Ｍｙリスト」等の情報の閲覧が可能となる。
【００５１】
［Ｍｙリスト表示画面］
図７は、本発明の好適な実施形態の一例に係るコンピュータシステム１において端末２０ａ、２０ｂに表示されるＭｙリスト画面を示すブロック図である。図６で説明した会員専用「メニュー画面」において「Ｍｙリスト」のリンクをクリックすると表示される。Ｍｙリスト画面には、キープリスト、Ｍｙウィッシュ、コレクション、等のカテゴリ別に、過去に指定した商品が自動的にリストされて表示される。また、後述する「にてるリスト」等へのリンクも表示される。
【００５２】
図８は、本発明の好適な実施形態の一例に係るコンピュータシステムによるユーザＩＤ登録処理を示すフローチャートである。
【００５３】
まず、サーバ制御部１１０は、通信ネットワークを介して、端末２０ａ、２０ｂからの登録情報の入力を受け付ける（ステップＳ２０１）。具体的には、文字入力により、ユーザＩＤ（ニックネーム）、パスワード、メールアドレスを受け付け、選択により、生年月、居住地、性別、血液型、興味のある商品カテゴリ、職業／所属、出身地、趣味、ユーザ別商品選択テーブルとしての「Ｍｙリスト」の公開／非公開の入力をそれぞれ受け付ける。
【００５４】
次に、サーバ制御部１１０は、ステップＳ２０１において受け付けたデータが、登録済のユーザＩＤ、パスワードと一致したか否かを判断する（ステップＳ２０２）。
【００５５】
次に、サーバ制御部１１０は、ステップＳ２０２において、登録済のユーザＩＤ、パスワードと一致した場合、処理を終了し、登録済のユーザＩＤ、パスワードと一致しない場合、ステップＳ２０１に処理を戻し、再び登録情報の入力の受け付けを行う。
【００５６】
［ユーザＩＤ登録画面］
図９は、上述のユーザＩＤ登録処理に係るユーザＩＤ登録画面を示すブロック図である。端末２０ａ、２０ｂに表示されるこの画面において、ユーザＩＤ、パスワード、メールアドレス、生年月、住居地、性別、血液型、興味のある商品カテゴリ、職業／所属、出身地、趣味、Ｍｙリストの公開／非公開等の入力あるいは選択が可能となる。
【００５７】
図１０は、本発明の好適な実施形態の一例に係るコンピュータシステムによる商品選択入力処理を示すフローチャートである。
【００５８】
まず、サーバ制御部１１０は、前述のユーザＩＤの入力処理を行う（ステップＳ３０１）。
【００５９】
次に、サーバ制御部１１０は、通信ネットワークを介して、端末２０ａ、２０ｂからの商品の選択入力を受け付ける（ステップＳ３０２）。受け付ける項目としては、商品ＩＤ、選択レベル、商品分類キーワード、評価等があり、選択レベルについては購入可能性のレベルにより、購入かキープかウィッシュかの選択が可能となっている。サーバ制御部１１０は、この様な購入可能性のレベルを、当該商品に対するウエイトデータとして受け付ける。
【００６０】
次に、サーバ制御部１１０は、ステップＳ３０２にて受け付けたデータを、ユーザ別商品選択テーブルとしてサーバ記憶部１５０に記憶する（ステップＳ３０３）。
【００６１】
［商品選択入力画面］
図１１は、上述の商品選択入力処理に係る商品選択入力画面を示すブロック図である。
選択した商品の商品カテゴリ、商品名、価格、ユーザの平均満足度、定性データ、コメント等が端末２０ａ、２０ｂに表示される。ユーザはこれらの情報を参照し、当該商品を選択するかどうかを決定する。
【００６２】
当該画面には、当該商品の選択を受け付けるための「Ｍｙリストに追加」リンクが表示されている。サーバ制御部１１０が当該「Ｍｙリストに追加」のリンクのクリックを受け付けると、後述する「Ｍｙリストへの追加登録画面」が表示される。
【００６３】
［Ｍｙリストへの追加登録画面］
図１２は、上述の商品選択入力処理に係るＭｙリストへの追加登録画面を示すブロック図である。ユーザは、端末２０ａ、２０ｂに表示されるこの画面において、購入可能性に応じて、購入リスト、キープリスト、又はウィッシュリストへの追加を選択できる。
【００６４】
［商品分類キーワード入力画面］
図１３は、上述の商品選択入力処理に係るＭｙリストへの商品分類キーワード入力処理画面を示すブロック図である。例えば、図１２で説明した「Ｍｙリストへの追加登録画面」において、「購入リストに追加」のリンクをクリックすると端末２０ａ、２０ｂに表示される入力画面が表示される。ユーザは、この画面において、商品分類キーワードの入力が可能となる。
【００６５】
［商品評価入力画面］
図１４は、上述の商品選択入力処理に係る商品評価入力画面を示すブロック図である。
価格、使い易さ、コストパフォーマンスの各々について、良い、普通、悪い、の選択画面が端末２０ａ、２０ｂに表示される。また、満足度についてはリストにより、選択可能な画面が表示される。また、フィーリングについては、プレゼントに最適、美しい、感動、面白い、等のチェックボックスが表示される。
【００６６】
［ユーザ別商品選択テーブル］
図１５は、本発明の好適な実施形態の一例に係るコンピュータシステムによるユーザ別商品選択テーブルを示す図である。例えば、ユーザ１のカラムにおいて、商品２に１点、商品３に２点・・・、ユーザ２のカラムにおいて、商品１に１点、商品２に３点・・・、と表示されている。この点数の決定の方法は、例えば購入の可能性に基づいて決定し、購入リスト：３点、キープリスト：２点、Ｍｙウィッシュリスト：１点、選択せず：０点としてもよい。
【００６７】
図１６は、本発明の好適な実施形態の一例に係るコンピュータシステムによる商品選択類似度テーブル生成処理を示すフローチャートである。
【００６８】
まず、サーバ制御部１１０は、通信ネットワーク３０を介して、端末２０ａ、２０ｂからの商品選択入力を受け付けたか否かを判断する（ステップＳ４０１）。
【００６９】
次に、当該商品選択入力を受け付けた場合、サーバ制御部１１０は、ユーザ別商品選択テーブルに基づいてユーザ間の商品選択類似度を演算し、商品選択類似度テーブル（後述）を生成する（ステップＳ４０２）。
【００７０】
［商品選択類似度テーブル］
図１７は、本発明の好適な実施形態の一例に係るコンピュータシステムによる商品選択類似度テーブルを示す図である。例えば、ユーザ１とユーザ２の類似度は３点、ユーザ１とユーザ３の類似度は２点、として記憶されているこの類似度の決定の方法は、前述のユーザ別商品選択テーブルのデータに基づいて様々な方法が可能である。例えば、Ｍを商品数として
【数１】
0005389116.tif 000002
で演算できる。
上述の場合、
【数２】
0005389116.tif 000003
となる。
【００７１】
図１８は、本発明の好適な実施形態の一例に係るコンピュータシステムによる商品選択テーブル表示処理を示すフローチャートである。
【００７２】
まず、サーバ制御部１１０は、ユーザＩＤの入力処理を行う（ステップＳ５０１）。
【００７３】
次に、サーバ制御部１１０は、商品選択類似度テーブルに基づいて、当該ユーザとの間の類似度が所定の値以上の他のユーザの商品選択テーブルを「にてるリスト」として表示する（ステップＳ５０２）。ユーザは、この様に、何ら商品を選択することなく、ログインするだけで自らとの間の商品選択類似度が所定の値以上の他のユーザの「Ｍｙリスト」を参照することができる。
【００７４】
［にてるリスト表示画面］
図１９は、上述の商品選択テーブル表示処理に係る「にてるリスト」の表示画面を示すブロック図である。商品選択類似度が所定の値以上の他のユーザのキープリスト、Ｍｙウィッシュ、コレクションが端末２０ａ、２０ｂに表示される。画面下には、「もうひとつにてるリストを見る」のリンクが表示され、さらに別のユーザのＭｙリストが参照可能となっている。
【００７５】
図２０は、本発明の好適な実施形態の一例に係るコンピュータシステムによる商品選択ランキング表示処理を示すフローチャートである。
【００７６】
まず、サーバ制御部１１０は、ユーザＩＤの入力処理を行う（ステップＳ６０１）。
【００７７】
次に、サーバ制御部１１０は、ユーザ別商品選択類似度テーブルに基づいて、当該ユーザとの間の商品選択類似度が所定の値以上の他のユーザを決定し、決定した当該他のユーザの商品選択テーブルに基づいて商品選択ランキングを集計・演算して表示する（ステップＳ６０２）。
【００７８】
［商品選択ランキング表示画面］
図２１は、上述の商品選択ランキング表示処理に係る商品選択ランキングの表示画面を示すブロック図である。当該ユーザとの間の商品選択類似度が所定の値以上の他のユーザのみについてユーザ別商品選択テーブルが集計され、キープランキング、Ｍｙウィッシュランキング、コレクションランキングとしてそれぞれ端末２０ａ、２０ｂに表示される。
【００７９】
図２２は、本発明の好適な実施形態の一例に係るコンピュータシステムによる指定ユーザの商品選択テーブル表示処理を示すフローチャートである。
【００８０】
まず、サーバ制御部１１０は、ユーザＩＤの入力処理を行う（ステップＳ７０１）。
【００８１】
次に、サーバ制御部１１０は、通信ネットワーク３０を介して、端末２０ａ、２０ｂからの指定ユーザのユーザＩＤの入力を受け付ける（ステップＳ７０２）。
【００８２】
次に、サーバ制御部１１０は、ユーザ別商品選択類似度テーブルに基づいて、指定ユーザとの間の商品選択類似度が所定の値以上のユーザの商品選択テーブルを表示する（ステップＳ７０３）。
【００８３】
［指定ユーザの「にてるリスト」表示画面］
図２３は、上述の指定ユーザの商品選択テーブル表示処理に係る指定ユーザの「にてるリスト」の表示画面を示す図である。指定ユーザと商品選択類似度が所定の値以上の他のユーザのキープリスト、Ｍｙウィッシュ、コレクションが端末２０ａ、２０ｂに表示される。
【００８４】
図２４は、本発明の好適な実施形態の一例に係るコンピュータシステムによる指定ユーザの商品選択ランキング表示処理を示すフローチャートである。
【００８５】
まず、サーバ制御部１１０は、ユーザＩＤの入力処理を行う（ステップＳ８０１）。
【００８６】
次に、サーバ制御部１１０は、通信ネットワーク３０を介して、端末２０ａ、２０ｂからの指定ユーザのユーザＩＤの入力の受け付けを行う（ステップＳ８０２）。
【００８７】
次に、サーバ制御部１１０は、商品選択類似度テーブルに基づいて、指定ユーザとの間の商品選択類似度が所定の値以上のユーザを決定し、決定した当該ユーザのみについて商品選択テーブルを集計・演算し、商品選択ランキングを表示する（ステップＳ８０３）。
【００８８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【符号の説明】
【００８９】
１      コンピュータシステム
１０    サーバ
２０ａ、２０ｂ  端末
２０    端末群
３０    通信ネットワーク
１１０  サーバ制御部
１２０  サーバ表示部
１３０  サーバ入力部
１４０  サーバ通信制御部
１５０  サーバ記憶部
１６０  サーババス
２１０  端末制御部
２２０  端末表示部
２３０  端末操作入力部
２４０  送受信部
２５０  端末記憶部
２６０  通話制御部
２７０  音声入出力部
３１０  端末制御部
３２０  端末表示部
３３０  端末入力部
３４０  端末通信制御部
３５０  端末記憶部
３６０  端末バス
【図１】
0005389116.tif 000004
【図２】
0005389116.tif 000005
【図３】
0005389116.tif 000006
【図４】
0005389116.tif 000007
【図５】
0005389116.tif 000008
【図６】
0005389116.tif 000009
【図７】
0005389116.tif 000010
【図８】
0005389116.tif 000011
【図９】
0005389116.tif 000012
【図１０】
0005389116.tif 000013
【図１１】
0005389116.tif 000014
【図１２】
0005389116.tif 000015
【図１３】
0005389116.tif 000016
【図１４】
0005389116.tif 000017
【図１５】
0005389116.tif 000018
【図１６】
0005389116.tif 000019
【図１７】
0005389116.tif 000020
【図１８】
0005389116.tif 000021
【図１９】
0005389116.tif 000022
【図２０】
0005389116.tif 000023
【図２１】
0005389116.tif 000024
【図２２】
0005389116.tif 000025
【図２３】
0005389116.tif 000026
【図２４】
0005389116.tif 000027